(57)【要約】【課題】  機器ケースを安価に作成できると共にデザイン上の問題が生じない機器ケースとする。【解決手段】  取付部材２の第２取付片２３の先端から電子機器ケース１の底面部１ａに形成されたテーパ状凹部１３に挿入し、円状突起１４を摺動孔２５における嵌合部２５ａに嵌合させる。すると、取付部材２における第１取付片２２および第２取付片２３の端部は電子機器ケース１から突出するようになり、第１取付片２２、第２取付片２３に形成されている１対のネジ挿通孔２２ａ、２３ａにネジを挿通して被取付体にねじ込むことにより、電子機器ケース１を被取付体に取り付けることができる。取付部材２をテーパ状凹部１３内において摺動させて円状突起１４の摺動孔２５に対する嵌合位置を変更することにより、第１ヒンジ部２７ａあるいは第２ヒンジ部２７ｂで折曲することができ、この結果、電子機器ケース１を自在な方向で取り付けられるようになる。【選択図】  図８
2007200558.tif 000002
【特許請求の範囲】
【請求項１】
細長い板状の取付部材と、該取付部材を摺動可能に保持することができる凹部が一面に形成されている機器ケースとを備える取付構造であって、
前記取付部材は、前記機器ケースの一面の幅より長く形成されて、前記凹部にほぼ直交する方向に折曲するためのヒンジ部が前記一面の幅より狭い間隔で複数形成されていると共に、両端部に取付穴が形成されており、
前記取付部材を前記凹部内において摺動させて、前記取付部材の両端部を前記機器ケースの一面から両側に突出させた際に、前記取付穴を使用して前記機器ケースを固着することができ、前記取付部材を前記凹部内において摺動させて、前記ヒンジ部の一つをほぼ前記一面の縁上に配置した際に、該ヒンジ部において折曲した前記取付部材の端部に形成されている前記取付穴を使用して前記機器ケースの方向を約９０度変更して固着できるようにしたことを特徴とする機器ケースの取付構造。
【請求項２】
前記一面のほぼ中央に形成された突起が摺動可能な細長い摺動孔が、前記ヒンジ部の間の部位に摺動方向に沿って形成されており、前記突起が前記摺動孔のほぼ中央に形成された嵌合部に嵌合されると共に、前記摺動孔の両端に嵌合可能とされていることを特徴とする請求項１記載の機器ケースの取付構造。
【請求項３】
前記摺動孔の両側に、前記摺動孔に沿って長孔がそれぞれ形成されており、前記摺動孔と前記長孔との間の部位が弾性部として機能するようにしたことを特徴とする請求項１記載の機器ケースの取付構造。
【請求項４】
前記ヒンジ部の断面形状がテーパ状に形成されて、前記取付部材の端部をほぼ９０度まで折曲できるようにしたことを特徴とする請求項１記載の機器ケースの取付構造。
【請求項５】
前記一面に形成されている前記凹部の両側の壁部がくさび状に形成されており、前記取付部材の両側の縁部に形成されている斜面が前記くさび状の壁部に嵌入されて、前記取付部材が前記凹部から抜け出ることなく摺動可能とされていることを特徴とする請求項１記載の機器ケースの取付構造。
【請求項６】
前記取付部材を前記凹部に嵌入した際に、前記突起を乗り越えるための挿入溝が前記取付部材の端部に形成されていることを特徴とする請求項１記載の機器ケースの取付構造。
【請求項７】
断面が４角形とされた箱状のケース構造とされ、側面に端子を設けることのできる機器ケースであって、
細長い板状の取付部材を摺動可能に保持することができるように、両側の壁部がくさび状とされている凹部が一面に形成されており、該凹部に前記取付部材を嵌入した際に、前記取付部材の両側の縁部に形成されている斜面が前記くさび状の壁部に摺接されて、前記取付部材が前記凹部から抜け出ることなく摺動可能となるようにしたことを特徴とする機器ケース。
【請求項８】
機器ケースの一面に形成されている凹部に摺動可能に保持することができるように、両側の縁部に斜面が形成されている細長い板状の取付部材であって、
前記機器ケースの一面の幅より長く形成されて、前記機器ケースの一面の幅より狭い間隔で折曲するためのヒンジ部が複数形成されていると共に、両端部に取付穴が形成されており、
前記機器ケースの凹部内に嵌入して、両端部を前記機器ケースの一面から両側に突出させた際に、前記取付穴を使用して前記機器ケースを固着することができると共に、前記ヒンジ部の一つを前記機器ケースの前記一面のほぼ縁上に配置した際に、該ヒンジ部において折曲可能となり、該ヒンジ部を折曲した際に前記端部に形成されている前記取付穴を使用し前記機器ケースの方向を約９０度変更して固着できるようにしたことを特徴とする取付部材。
【発明の詳細な説明】
【技術分野】
【０００１】
本発明は、本発明は使用用途に合わせ自由自在な方向に取り付けられる機器ケースの取付構造、機器ケースおよび取付部材に関するものである。
【背景技術】
【０００２】
従来の電子機器の機器ケースは、一般に箱状の４角形断面のケース構造とされ、前側面や後側面に入力端子や出力端子を配置するようにしている。この機器ケース内には、電子回路を組み込んだ回路基板を収納することができるようになっている。また、右側面や左側面にも入力端子や出力端子を配置することができるケース構造となっている。この機器ケースは、使用用途に合わせて種々の取付箇所に取り付けられることが好適とされる。機器ケースには、ネジ座が突出するよう形成されており、このネジ座に設けられているネジ挿通孔にネジを挿通して、ネジを被取付体にねじ込むことにより機器ケースを被取付体に取り付けるようにしている。
【発明の開示】
【発明が解決しようとする課題】
【０００３】
機器ケースは、使用用途に合わせ取り付け方向を上向き・下向き・前向き・左右逆向きの自由自在な方向に取り付けられる取付構造とするのが好適であり、このためには、機器ケースに取付ネジを挿通するネジ挿通孔を設けたネジ座を機器ケースの３面の左右２ヶ所に少なくとも設ける必要があり、合計で６ヶ所のネジ座を設ける必要がある。ネジ挿通孔を設けた６ヶ所のネジ座を備える機器ケースを樹脂成形により作成するには、上下樹脂ケースを成形する金型に加えてネジ座を形成するための左右のスライド金型が必要になる。また、機器ケースをシールドケース構造とする場合には、シールドケース（ダイカスト）を成形する金型にネジ座を形成するための左右のスライド金型が必要になる。このように、精密なスライド構造の金型となって金型費が高くなると共に、金型が精密となると成形時間が長くなって各部品代がアップするという問題点があった。また、６ヶ所のネジ座が機器ケースから突出するよう設けられることになるが、使用されるネジ座は２ヶ所になるため、使用されないネジ座がじゃまになったり、デザイン上の問題になるという問題点もあった。
【０００４】
そこで、本発明は機器ケースを安価に作成できると共にデザイン上の問題が生じない機器ケースの取付構造、機器ケースおよび取付部材を提供することを目的としている。
【課題を解決するための手段】
【０００５】
上記目的を達成するために、本発明の機器ケースの取付構造は、機器ケースと機器ケースを取り付けるための取付部材を別体として、取付部材を摺動可能に保持する凹部を機器ケースの一面に形成したことを最も主要な特徴としている。
【発明の効果】
【０００６】
本発明は、機器ケースと機器ケースを取り付けるための取付部材を別体として、取付部材を摺動可能に保持する凹部を機器ケースの一面に形成したことから、取付部材を凹部内において摺動させて、取付部材の両端部を機器ケースの一面から両側に突出させた際に、取付部材に形成された取付穴を使用して機器ケースを固着することができ、取付部材を凹部内において摺動させて、取付部材に形成されているヒンジ部の一つをほぼ一面上に配置した際に、該ヒンジ部において折曲した取付部材の端部に形成されている取付穴を使用して機器ケースを約９０度回転させて固着できるようになる。これにより、機器ケースの取り付け方向を、使用用途に合わせて上向き・下向き・前向き・左右逆向きの自由自在な方向に取り付けられる機器ケースの取付構造とすることができるようになる。また、使用されないネジ座が機器ケースから突出することがなくデザイン上の問題が生じないようになる。
【発明を実施するための最良の形態】
【０００７】
本発明の実施例にかかる機器ケースの取付構造における電子機器ケースの構成例を示す斜視図を図１に示し、電子機器ケースを取り付けるための取付部材の構成を図２ないし図５に示す。ただし、図２は取付部材の構成を示す平面図であり、図３は取付部材の構成を示す正面図であり、図４は取付部材の構成を示す平面図のＡ−Ａ線で切断した際の正面図の断面図であり、図５は取付部材の構成を示す側面図である。
図１に示す電子機器ケース１は、断面が４角形とされた箱状のケース構造とされ、２つに分截されて構成されている。電子機器ケース１は、合成樹脂の成形あるいは金属材のダイカストにより形成されており、右側面部に第１端子１０が設けられており、前側面部に第２端子１１と第３端子１２が設けられている。第１端子１０は、例えば同軸コネクタからなる入力端子とされ、第２端子１１と第３端子１２は、例えば同軸コネクタからなる出力端子とされている。この電子機器ケース１内には、受動回路や能動回路とされる電子回路を組み込んだ回路基板を収納することができるようになっている。
【０００８】
第１端子１０は同軸コネクタからなる入力端子とされ、第２端子１１および第３端子１２は同軸コネクタからなる出力端子とされている。第１端子１０から入力された信号は、第２端子１１および第３端子１２から分岐されて出力されるようになる。また、電子機器ケース１の底面部１ａの中央部に幅の広いテーパ状凹部１３が形成されており、テーパ状凹部１３の壁部はくさび形レール１３ａとくさび形レール１３ｂとされて、壁部の上縁が内側に傾斜したくさび状に形成されている。このテーパ状凹部１３のほぼ中央に円盤状の円状突起１４が形成されている。テーパ状凹部１３には、後述する取付部材２が摺動自在に嵌挿される。
【０００９】
取付部材２は、図２ないし図５に示すように細長い平板状に形成されており、材質は結晶性樹脂材（ポリエチレン・ポリプロピレン・ポリアセタール・ナイロン）やＡＢＳ系のＡＳＡ樹脂材などの何度屈曲しても折れることのない耐屈曲性を有する樹脂材を使用して作成されている。取付部材２は、中心線に対して上下部が対称形状とされており、第１取付片２２と中央部２１と第２取付片２３との３片から構成されている。取付部材２において、第１取付片２２と中央部２１とは、断面がテーパ状に形成されている第１ヒンジ部２７ａにより繋がれており、中央部２１と第２取付片２３とは、断面がテーパ状に形成されている第２ヒンジ部２７ｂにより繋がれている。この第１ヒンジ部２７ａにおいて第１取付片２２が中央部２１に対してほぼ９０°まで折曲することができる構造とされ、第２ヒンジ部２７ｂにおいて第２取付片２３が中央部２１に対してほぼ９０°まで折曲することができる構造とされている。また、第１ヒンジ部２７ａと第２ヒンジ部２７ｂとの間隔は、電子機器ケース１のテーパ状凹部１３が形成されている面の幅より狭い間隔とされている。取付部材２の両側の縁部には図５に示すように斜面２ａ、２ｂが形成されており、取付部材２を電子機器ケース１のテーパ状凹部１３に嵌入した際に、この斜面２ａ、２ｂがくさび形レール１３ａ、１３ｂにおける斜めの壁面に摺接するようになって、取付部材２がテーパ状凹部１３から抜け出ることなく摺動することができるようにされる。
【００１０】
第１取付片２２の外側には１対のネジ挿通孔２２ａが形成されており、第２取付片２３の外側にも１対のネジ挿通孔２３ａが形成されている。中央部２１には３本の長孔が取付部材２の摺動方向に沿って形成されている。３本の長孔のうちの真ん中の長孔が摺動孔２５とされ、摺動孔２５の両側に長孔２４と長孔２６とが形成されている。摺動孔２５のほぼ中央部には、電子機器ケース１のテーパ状凹部１３に形成されている円状突起１４が嵌合される円弧状の形状を有する嵌合部２５ａが形成されている。また、摺動孔２５の両側にはテーパ状孔部２５ｂとテーパ状孔部２５ｃとが形成されている。このテーパ状孔部２５ｂ、２５ｃは、嵌合部２５ａ側の幅が円状突起１４の径より若干狭く形成されており、端部の形状が円状突起１４の外形にほぼ等しい形状に形成されている。このため、取付部材２をテーパ状凹部１３に嵌入して摺動した際に、テーパ状孔部２５ｂの端部、嵌合部２５ａ、テーパ状孔部２５ｃの端部の３ヶ所において円状突起１４がクリック感を持って係止されるようになる。この場合、係止されている円状突起１４が係止されている部位から次に係止される部位に摺動孔２５内を摺動していく際に、長孔２４，２６と摺動孔２５との間の部位が弾性部材として作用するようになる。
【００１１】
また、第１取付片２２および第２取付片２３の先端縁の下面には所定長さの挿入溝２８ａ、２８ｂが形成されている。挿入溝２８ａ、２８ｂは、テーパ状凹部１３に嵌入された取付部材２が円状突起１４を乗り越えて摺動するための溝部とされており、挿入溝２８ａ、２８ｂの終端部は図４に示すように斜面とされている。
このように構成されている取付部材２の構成を示す斜視図を図６に示す。
図６に示すように、第１ヒンジ部２７ａの部位において第１取付片２２を中央部２１に対して矢印で示すように折曲することができる。この場合、第１ヒンジ部２７ａのテーパ角は例えば約７８°とされテーパ部の斜面同士が当接するまで折曲可能となる。第１ヒンジ部２７ａには中央部２１と第１取付片２２とを繋ぐ連接部が形成されていると共にその材質の作用により、その折曲角度は約９０°となされている。図示されていないが第２ヒンジ部２７ｂも同様であり、第２ヒンジ部２７ｂの部位において第２取付片２３を中央部２１に対して折曲することができる。この場合、第２ヒンジ部２７ｂのテーパ部の斜面同士が当接するまで折曲可能となり、その折曲角度は約９０°となされている。
【００１２】
本発明の実施例にかかる電子機器ケース１に取付部材２を摺動自在に嵌入する態様を図７に示す。
図７に示す場合では、取付部材２の第２取付片２３の先端から電子機器ケース１の底面部１ａに形成されたテーパ状凹部１３に挿入していく。第２取付片２３の先端が円状突起１４に当接すると、円状突起１４は第２取付片２３の下面に形成されている挿入溝２８ｂ内に挿入されて、円状突起１４が挿入溝２８ｂに沿って挿入されていく。この際に、取付部材２もテーパ状凹部１３内に嵌入されていく。そして、円状突起１４を第２取付片２３が乗り越えるようになり、取付部材２の摺動孔２５のテーパ状孔部２５ｂの端部に円状突起１４が嵌合するようになる。さらに、取付部材２に摺動力を与えて摺動していくと、取付部材２はさらにテーパ状凹部１３内に嵌入されていくと共に、円状突起１４が摺動孔２５におけるテーパ状孔部２５ｂ内を摺動していき、やがて、円状突起１４が嵌合部２５ａに嵌合するようになる。この状態が、図８に示されている。
【００１３】
図８に示すように、円状突起１４が摺動孔２５のテーパ状孔部２５ｂにおける嵌合部２５ａに嵌合した際には、第１ヒンジ部２７ａおよび第２ヒンジ部２７ｂはテーパ状凹部１３内に位置するようになる。これにより、取付部材２における第１取付片２２および第２取付片２３の端部は電子機器ケース１から突出するようになる。さらに、取付部材２の縁部がくさび形レール１３ａ、１３ｂにより抜け出ないように保持されて、第１取付片２２および第２取付片２３は第１ヒンジ部２７ａおよび第２ヒンジ部２７ｂにおいて折曲することができないようになる。そこで、第１取付片２２に形成されている１対のネジ挿通孔２２ａおよび第２取付片２３に形成されている１対のネジ挿通孔２３ａにネジを挿通して壁面等の被取付体にねじ込むことにより、電子機器ケース１を被取付体に取り付けることができる。この場合、取り付けられた電子機器ケース１の第２端子１１および第３端子１２は正面を向くようになる。
【００１４】
また、取付部材２をテーパ状凹部１３内において摺動させて摺動孔２５におけるテーパ状孔部２５ｂの端部に円状突起１４を嵌合させた状態を図９に示す。この状態においては第１ヒンジ部２７ａがテーパ状凹部１３から抜け出て電子機器ケース１の側面上にほぼ位置するようになり、第１ヒンジ部２７ａにおいて折曲することができるようになる。そこで、第１ヒンジ部２７ａで第１取付片２２を図６に示すように折曲して第１取付片２２に形成されているネジ挿通孔２２ａにネジ３０を挿通して壁面等の被取付体にねじ込むことにより、電子機器ケース１を被取付体に取り付けることができる。このようにして、壁面４０に電子機器ケース１を取り付けた状態を図１１に示す。図１１に示すように、電子機器ケース１は取付部材２の第１取付片２２がネジ３０により壁面に固着されることにより取り付けられるようになり、この場合は、電子機器ケース１における第２端子１１および第３端子１２は下向きに取り付けられ、第１端子１０は右側に位置するようになる。この際に、第１ヒンジ部２７ａにおけるテーパ状の斜面同士が当接するように約９０°折曲されるため、安定して取り付けられるようになる。なお、電子機器ケース１を約１８０°回転させて壁面４０に取り付けることもでき、この場合には、電子機器ケース１における第２端子１１および第３端子１２は上向きに取り付けられ、第１端子１０は左側に位置するようになる。
【００１５】
次に、取付部材２をテーパ状凹部１３内において摺動させて摺動孔２５におけるテーパ状孔部２５ｃの端部に円状突起１４を嵌合させた状態を図１０に示す。この状態においては第２ヒンジ部２７ｂがテーパ状凹部１３から抜け出て電子機器ケース１の側面上にほぼ位置するようになり、第２ヒンジ部２７ｂにおいて折曲することができるようになる。そこで、第２ヒンジ部２７ｂにより第２取付片２３を折曲すると、第２取付片２３に形成されているネジ挿通孔２３ａにネジ３０を挿通して壁面等の被取付体にねじ込むことにより、電子機器ケース１を被取付体に取り付けることができる。この場合の電子機器ケース１の取付状態は図１１に示す状態とほぼ同様となり、電子機器ケース１の第２端子１１および第３端子１２は下向きに取り付けられ、第１端子１０は左側に位置するようになる。この際に、第２ヒンジ部２７ｂにおけるテーパ状の斜面同士が当接するように約９０°折曲されるため、安定して取り付けられるようになる。なお、電子機器ケース１を約１８０°回転させて壁面４０に取り付けると、第２端子１１および第３端子１２は上向きに取り付けられ、第１端子１０は右側に位置するようになる。
【００１６】
このように、取付部材２を電子機器ケース１のテーパ状凹部１３に嵌入して摺動することにより、テーパ状孔部２５ｂの端部、嵌合部２５ａ、テーパ状孔部２５ｃの端部の３ヶ所のいずれに円状突起１４を嵌合させるかに応じて、電子機器ケース１を、使用用途に合わせて上向き・下向き・前向き・左右逆向きの自由自在な方向に取り付けられるようになる。また、本発明の機器ケースの取付構造においては、電子機器ケース１と電子機器ケース１を取り付けるための取付部材２を別体として、取付部材２を電子機器ケース１の一面に形成したテーパ状凹部１３内に摺動可能に保持させるようにしたことから、電子機器ケース１からネジ座が突出しておらず、電子機器ケース１および取付部材２を成型する金型を精密なスライド構造金型に替えて簡易な構造の金型とすることができる。これにより、金型費が低減されると共に、簡易な金型とされることから成形時間が短くなって各部品代を低減することができるようになる。
【００１７】
次に、本発明にかかる機器ケースの取付構造を適用して電子機器ケース１を取付部材２により壁面４０に取り付けるようにした具体的構成を図１２に示す。
図１２に示すように、壁面４０にはテレビ信号等が出力される直列ユニット３１が設けられている。直列ユニット３１には同軸コネクタ３１ａが２つ用意されており、その一方の同軸コネクタに同軸ケーブル３２の一端に装着されている第１プラグ３２ａが接続されている。同軸ケーブル３２の他端に装着されている第２プラグ３２ｂは、壁面４０に取り付けられている電子機器ケース１の右側面部に設けられている第１端子１０に接続されている。取付部材２は電子機器ケース１に対して図８に示す状態で固着されており、電子機器ケース１のテーパ状凹部１３に形成されている円状突起１４が、取付部材２における摺動孔２５の嵌合部２５ａに嵌合して固着されている。このため、取付部材２における第１取付片２２および第２取付片２３のネジ挿通孔２２ａ、２３ａが形成されている端部は電子機器ケース１の両側から突出するようになる。そこで、ネジ挿通孔２２ａ、２３ａにネジを挿通して壁面４０にねじ込むことにより、電子機器ケース１が壁面４０に取り付けられている。この場合、分岐されたテレビ信号等が出力される第２端子１１および第３端子１２は正面に向くようになり、これらの端子にテレビ受像器やビデオレコーダ等に接続された同軸ケーブルを接続することができるようになる。
【００１８】
次に、本発明にかかる機器ケースの取付構造を適用して電子機器ケース１を取付部材２により壁面４０に取り付けるようにした他の具体的構成を図１３に示す。
図１３に示すように、壁面４０にはテレビ信号等が出力される直列ユニット３１が設けられている。直列ユニット３１には同軸コネクタ３１ａが２つ用意されており、その一方の同軸コネクタに同軸ケーブル３２の一端に装着されている第１プラグ３２ａが接続されている。同軸ケーブル３２の他端に装着されている第２プラグ３２ｂは、壁面４０に取り付けられている電子機器ケース１の右側面部に設けられている第１端子１０に接続されている。取付部材２は電子機器ケース１に対して図９に示す状態で固着されており、電子機器ケース１のテーパ状凹部１３に形成されている円状突起１４が、取付部材２における摺動孔２５のテーパ状孔部２５ｂの端部に嵌合して固着されている。このため、第１ヒンジ部２７ａがテーパ状凹部１３から抜け出て電子機器ケース１の側面上にほぼ位置するようになり、第１ヒンジ部２７ａにおいて折曲することができるようになる。そこで、第１ヒンジ部２７ａにより第１取付片２２を約９０°折曲して第１取付片２２に形成されているネジ挿通孔２２ａにネジ３０ａ、３０ｂを挿通して壁面４０にねじ込むことにより、電子機器ケース１が壁面４０に取り付けられている。この場合、分岐されたテレビ信号等が出力される第２端子１１および第３端子１２は下を向くようになり、これらの端子にテレビ受像器やビデオレコーダ等に接続された同軸ケーブルを接続することができるようになる。
【００１９】
なお、本発明にかかる機器ケースの取付構造において、電子機器ケースを壁面等に取り付ける必要がない場合は、電子機器ケースに取付部材を装着することなく電子機器ケース単独で使用することができる。この場合には、電子機器ケースにはネジ座が設けられていない優れたデザインの電子機器ケースとして使用することができるようになる。
【産業上の利用可能性】
【００２０】
本発明の機器ケースの取付構造、機器ケースおよび取付部材において、機器ケースには、分岐器、分波器、合波器等の受動回路や、増幅器等の能動回路を収納することができ、分配器・分岐器・混合器・増幅器等の機能を有する電子機器ケースに本発明の機器ケースの取付構造を適用することができる。また、機器ケースに設けられる端子の数としては、所望の数の端子を前側面や後側面に設けることができる。
【図面の簡単な説明】
【００２１】
【図１】本発明の実施例にかかる機器ケースの取付構造における電子機器ケースの構成例を示す斜視図である。
【図２】本発明の実施例にかかる機器ケースの取付構造における取付部材の構成例を示す平面図である。
【図３】本発明の実施例にかかる機器ケースの取付構造における取付部材の構成例を示す正面図である。
【図４】本発明の実施例にかかる機器ケースの取付構造における取付部材の構成例を示すＡ−Ａ線で切断した際の正面図の断面図である。
【図５】本発明の実施例にかかる機器ケースの取付構造における取付部材の構成例を示す側面図である。
【図６】本発明の実施例にかかる機器ケースの取付構造における取付部材の構成例を示す斜視図である。
【図７】本発明の実施例にかかる電子機器ケースに取付部材を摺動自在に嵌入する態様を示す図である。
【図８】本発明の実施例にかかる電子機器ケースに取付部材を摺動して嵌合した一態様を示す図である。
【図９】本発明の実施例にかかる電子機器ケースに取付部材を摺動して嵌合した他の態様を示す図である。
【図１０】本発明の実施例にかかる電子機器ケースに取付部材を摺動して嵌合したさらに他の態様を示す図である。
【図１１】本発明の実施例にかかる機器ケースの取付構造において、壁面に電子機器ケースを取付部材により取り付けた状態を示す図である。
【図１２】本発明の実施例にかかる機器ケースの取付構造において、壁面に電子機器ケースを取付部材により取り付けた具体的構成を示す斜視図である。
【図１３】本発明の実施例にかかる機器ケースの取付構造において、壁面に電子機器ケースを取付部材により取り付けた他の具体的構成を示す斜視図である。
【符号の説明】
【００２２】
１  電子機器ケース、１ａ  底面部、２  取付部材、２ａ  斜面、１０  第１端子、１１  第２端子、１２  第３端子、１３  テーパ状凹部、１３ａ  くさび形レール、１３ｂ  くさび形レール、１４  円状突起、２１  中央部、２２  第１取付片、２２ａ  ネジ挿通孔、２３  第２取付片、２３ａ  ネジ挿通孔、２４  長孔、２５  摺動孔、２５ａ  嵌合部、２５ｂ  テーパ状孔部、２５ｃ  テーパ状孔部、２６  長孔、２７ａ  第１ヒンジ部、２７ｂ  第２ヒンジ部、２８ａ  挿入溝、２８ｂ  挿入溝、３０  ネジ、３０ａ  ネジ、３１  直列ユニット、３１ａ  同軸コネクタ、３２  同軸ケーブル、３２ａ  第１プラグ、３２ｂ  第２プラグ、４０  壁面
【図１】
2007200558.tif 000003
【図２】
2007200558.tif 000004
【図３】
2007200558.tif 000005
【図４】
2007200558.tif 000006
【図５】
2007200558.tif 000007
【図６】
2007200558.tif 000008
【図７】
2007200558.tif 000009
【図８】
2007200558.tif 000010
【図９】
2007200558.tif 000011
【図１０】
2007200558.tif 000012
【図１１】
2007200558.tif 000013
【図１２】
2007200558.tif 000014
【図１３】
2007200558.tif 000015